(57)【要約】【課題】リサイクルに関心を持たない者にも分別回収に協力する動機付けを与えることを可能とする望遠鏡を実現する。【解決手段】蓋及び底を除去した空き缶からなる鏡筒１の両端に、発泡スチロール製のリング状のレンズセル１０、２０を嵌入し、各レンズセルに対物レンズ１４及び接眼レンズ２４を保持する。【選択図】　　　図１
2004069732.tif 000002
【特許請求の範囲】
【請求項１】
蓋及び底を除去した空き缶からなる鏡筒の両端に、発泡スチロール製のリング状のレンズセルを嵌入し、各レンズセルに対物レンズ及び接眼レンズを保持したことを特長とする望遠鏡。
【請求項２】
各レンズセルの一端をフランジ状の膨径部とすることにより、フランジによりレンズセルの鏡筒に対する嵌入範囲を規制した請求項１記載の望遠鏡。
【請求項３】
接眼レンズ及び対物レンズをプラスチックにより構成すると共に、発泡スチロール製のレンズセルの一端に接合した木製部によりこれらのレンズを保持した請求項１又は２記載の望遠鏡。
【発明の詳細な説明】
【０００１】
【発明の属する技術分野】
この発明は望遠鏡に関し、より詳細には空き缶や発泡スチロールのリサイクルの一助となる望遠鏡に関する。
【０００２】
【従来の技術】
金属製品である空き缶やプラスチックである発泡スチロールに関しては分別廃棄のルールが確立されている。廃棄公害の防止やリサイクルは今日的な課題であり、国を挙げて取り組まなければならない事柄であるが、単に行政側の努力だけでなく、国民一人一人が自分の問題としてこれにに取り組まなければならないことはいうまでもない。
【０００３】
【発明が解決しようとする課題】
しかしながら、一般の国民の間では廃棄公害の防止やリサイクルの重要性を身近な問題として充分認識するまでには至っておらず、前記の分別回収のルールも行政側からのただの面倒くさい要求としか感じない者やルールに従わない者もいるのが現状である。
【０００４】
このように、国民の全てに廃棄公害の防止やリサイクルが身近な問題として浸透していない現況においては、効果的な分別回収やリサイクルが実現されないおそれがあった。本願発明者はこの現況を憂い、国民の一人一人にリサイクルの重要性を身近な問題として認識してもらうための発明をかねがね模索していた。
【０００５】
【課題を解決するための手段】
分別回収対象のうちで空き缶は日常的に生み出され、又、各種の梱包材に使用される発泡スチロールも廃材として日常的に生み出され、どちらも大変身近な廃材である。本願発明者はこれらの廃材の組み合わせをヒントとして本願発明を着想した。即ち、この発明は廃材により望遠鏡を生み出すことを企図したものであり、この望遠鏡は蓋及び底を除去した空き缶からなる鏡筒の両端に、発泡スチロール製のリング状のレンズセルを嵌入し、各レンズセルに対物レンズ及び接眼レンズを保持したことを特長とする。
【０００６】
【発明の実施の形態】
以下、この発明の具体的実施例を添付図面に基づいて説明する。図１はこの発明の望遠鏡の各部材の構成を示した分解斜視図、図２は組み立て状態の断面図である。図中符号１は鏡筒であり、空き缶から蓋及び底を除去して筒状にした部材を使用する。
【０００７】
図中符号１０は対物側のレンズセルである。このレンズセル１０は発泡スチロールを前記の鏡筒に嵌入可能なリング状に切り出すことにより得られるが、ここでは鏡筒への嵌入部１１に対し一端をフランジ状の膨径部１２としている。こうすることにより、第一に嵌入時にフランジ端が鏡筒の端部に当接することによりレンズセルの嵌入範囲を規制することができ、第二に鋭利なフランジ端が露出して使用者が怪我をすることが防止される。尚、以上の嵌入部１１と膨径部１２は一体に切り出してもよいが、この実施例のように別体に切り出したものを接着により接合してもよい。
【０００８】
前記のレンズセル１０には対物レンズ１４が保持される。この実施例においては対物レンズ１４としてプラスチックレンズを採用しており、この場合、これをそのまま発泡スチロール製のレンズセル１０に保持させると接触した樹脂同士が反応して溶解するおそれがある。そこでここではリング状の木製部１３により対物レンズ１４を保持し、この木製部を嵌入部１１に接着により接合する構成としている。
【０００９】
次に図中符号２０は接眼側のレンズセルであり、その基本構成は前記の対物側のレンズセル１０と共通する。即ち、このレンズセル２０は発泡スチロールを鏡筒１に嵌入可能なリング状に切り出すことにより得られ、鏡筒への嵌入部２１に対しフランジ状の膨径部２２を接合している。又、接眼レンズ２４としてプラスチックレンズを採用し、このレンズをリング状の木製部２３により保持し、この木製部を嵌入部２１に接着により接合している。
【００１０】
以上の構成からなる望遠鏡は対物レンズ１４及び接眼レンズ２４により光学系が構成され、各レンズセルのリングの内側及び鏡筒１により光路が確保される。又、嵌入したレンズセルを前後に摺動することによりピントの調節を行うことができる。
【００１１】
【発明の効果】
以上のように構成されるこの発明は次の特有の効果を奏する。
（１）　ゴミと思われていた空き缶と発泡スチロールから望遠鏡が誕生するので、リサイクル精神を持たない者に対して効果的なリサイクル運動の啓蒙が行われる。
（２）　主要部材に前記の廃材を使用するので、低コストで望遠鏡を製作することが可能となり、競技場や劇場で販売や貸し出すことにより、観戦、観劇用の安価で手軽な望遠鏡が実現される。
（３）　鏡筒に空き缶を利用しているので軽量で且つ適度の柔軟性があり、又、両端が発泡スチロール製のレンズセルで覆われているので、競技場で販売や貸し出した場合に興奮した観客が場内に投げ込んでも凶器となる危険が無い。
（４）　鏡筒に使用した空き缶の外周の意匠や商標はそのまま露出されるので、これらをを生かすことにより、飲料メーカーの販促用の格好のノベルティーが実現される。
【図面の簡単な説明】
【図１】この発明の望遠鏡の分解斜視図
【図２】同上、組み立て状態の断面図。
【符号の説明】
１　　　　鏡筒
１０　　　レンズセル
１４　　　対物レンズ
２０　　　対物レンズ
２４　　　金型
【図１】
2004069732.tif 000003
【図２】
2004069732.tif 000004
【手続補正書】
【提出日】平成14年8月1日(2002.8.1)
【手続補正１】
【補正対象書類名】明細書
【補正対象項目名】００１１
【補正方法】変更
【補正の内容】
【００１１】
【発明の効果】
以上のように構成されるこの発明は次の特有の効果を奏する。
（１）　ゴミと思われていた空き缶と発泡スチロールから望遠鏡が誕生するので、格好のエコロジー商品となり、リサイクル精神を持たない者に対して効果的なリサイクル運動の啓蒙が行われる。
（２）　主要部材に前記の廃材を使用するので、レンズ以外の部材を低コストで製作することが可能となり、競技場や劇場で販売や貸し出すことにより、観戦、観劇用手軽な望遠鏡が実現される。
（３）　鏡筒に空き缶を利用しているので軽量で且つ適度の柔軟性があり、又、両端が発泡スチロール製のレンズセルで覆われているので、競技場で販売や貸し出した場合に興奮した観客が場内に投げ込んでも凶器となる危険が無い。
（４）　鏡筒に使用した空き缶の外周の意匠や商標はそのまま露出されるので、これらをを生かすことにより、飲料メーカーの販促用の格好のノベルティーが実現される。